(57)【要約】【課題】少ない演算量と回路規模で測定することのできる受信レベル測定装置を提供する。【解決手段】平均値算出部１０５ｃが、対数で表現された時間間隔Ｎにおける平均受信レベルを対数のまま時間間隔Ｍにおいて複数サンプル分の平均値を求めた際に生ずる誤差を補正する手段として、当該誤差を補正する補正値を算出する補正値算出部１０５ｆと、この補正値算出部１０５ｆで算出された補正値分だけ平均値算出部１０５ｃの平均値算出結果を補正する補正部１０５ｇとを設ける。これにより、制御プロセッサ１０５内の演算形式がすべて対数となり、演算量を軽減できるので、少ない演算量と回路規模で受信レベルの測定が可能となる。【選択図】      図１
2004364057.tif 000002
【特許請求の範囲】
【請求項１】
時間間隔Ｎ毎の受信信号の平均電力を求め、さらに時間間隔Ｍ（Ｍ＞Ｎ）にて平均して受信レベルを求める受信レベル測定装置であって、増幅量制御値に応じて受信信号を増幅する増幅手段と、前記増幅手段で増幅された受信信号を検波する検波手段と、前記検波手段の検波出力をディジタルデータに変換するアナログ／ディジタル変換手段と、前記アナログ／ディジタル変換手段の出力から前記時間区間Ｎにおける自乗和平均値を算出する自乗和平均算出手段と、前記自乗和平均算出手段で算出された時間区間Ｎにおける自乗和平均値を対数値に変換する対数変換手段と、前記増幅手段で増幅された値だけ前記対数変換手段にて対数変換された自乗和平均値を補正する増幅値補正手段と、前記時間間隔Ｍ内で対数変換された複数の前記自乗和平均値に対して対数のままで平均値を算出する平均値算出部と、前記平均値算出手段が対数で平均演算を行った際に生ずる誤差の補正値を算出する補正値算出手段と、前記補正値算出手段にて算出された補正値分だけ前記平均値算出手段の平均値算出結果を補正する補正手段と、を具備することを特徴とする受信レベル測定装置。
【請求項２】
前記補正値算出手段は、時間間隔Ｎにおける平均受信レベルの複数サンプル内の分散情報から補正値を求めることを特徴とする請求項１に記載の受信レベル測定装置。
【請求項３】
前記補正値算出手段は、時間間隔Ｎにおける平均受信レベルの複数サンプル内の最大値と最小値の差から補正値を求めることを特徴とする請求項１に記載の受信レベル測定装置。
【請求項４】
請求項１から請求項３のいずれかに記載の受信レベル測定装置を具備することを特徴とする移動機。
【請求項５】
時間間隔Ｎ毎の受信信号の平均電力を求め、さらに時間間隔Ｍ（Ｍ＞Ｎ）にて平均して受信レベルを求める受信レベル測定方法であって、対数で表現された時間間隔Ｎにおける平均受信レベルを対数のまま時間間隔Ｍにおいて複数サンプル分平均を行い、対数で平均演算を行った際に生ずる誤差の補正値を求め、求めた補正値分だけ平均値算出結果を補正することを特徴とする受信レベル測定方法。
【請求項６】
時間間隔Ｎ毎の受信信号の平均電力を求め、さらに時間間隔Ｍ（Ｍ＞Ｎ）にて平均して受信レベルを求める受信レベル測定プログラムであって、前記時間区間Ｎにおける受信信号のサンプリングデータの自乗和平均値を算出する自乗和平均算出手順と、前記時間区間Ｎにおける自乗和平均値を対数値に変換する対数変換手順と、前記受信信号を増幅した値だけ対数変換後の自乗和平均値を補正する増幅値補正手順と、前記時間間隔Ｍ内で対数変換した複数の前記自乗和平均値に対して対数のままで平均値を算出する平均値算出手順と、対数で平均演算を行った際に生ずる誤差の補正値を算出する補正値算出手順と、算出した補正値分だけ平均値算出結果を補正する補正手順と、を具備することを特徴とする受信レベル測定プログラム。
【請求項７】
記録媒体に記録されたプログラムに従って装置各部を制御するコンピュータと、請求項６に記載の受信レベル測定プログラムが記録された記録媒体と、を具備することを特徴とする移動機。
【発明の詳細な説明】
【０００１】
【発明の属する技術分野】
本発明は、携帯電話やＰＨＳ（Ｐｅｒｓｏｎａｌ  Ｈａｎｄｙ−ｐｈｏｎｅ  Ｓｙｓｔｅｍ）等の移動機に用いて好適な受信レベル測定装置及び受信レベル測定方法に関する。
【０００２】
【従来の技術】
従来、移動体通信では、移動機と基地局との間の回線状態の変化に伴う通信品質の変動を抑えるために変調方式を変えたり、送信電力制御や再送制御等を行うようにしている。これらの制御は、基地局が移動機から報告される受信レベルに基づいて行われることが多く、このため受信レベル測定装置を備えた移動機が案出されている。また、この受信レベル測定方法をスペクトルアナライザに用いたものもある（例えば、特許文献１参照）。
【０００３】
図７は、従来の受信レベル測定装置１の構成を示すブロック図である。
図７において、従来の受信レベル測定装置１は、増幅部７０１と、検波部７０２と、Ａ／Ｄ（Ｄｉｇｉｔａｌ／Ａｎａｌｏｇ）変換部７０３と、自乗和平均算出部７０４ａと、対数変換部７０４ｂと、増幅制御部７０５ａと、増幅値補正部７０５ｂとから構成される。
【０００４】
増幅部７０１は、増幅制御部７０５ａより与えられる増幅制御値に応じた増幅度で入力信号を増幅し、検波部７０２とＡ／Ｄ変換部７０３に適切な大きさの信号を入力する。検波部７０２は、増幅部７０１より入力された信号に対して検波処理を施し、その後の信号をＡ／Ｄ変換部７０３に入力する。Ａ／Ｄ変換部７０３は、検波部７０２からの信号をディジタル変換し、変換後のディジタルデータを自乗和平均算出部７０４ａに入力する。自乗和平均算出部７０４ａは、ある時間区間Ｎにおける信号の平均電力を求める。すなわち、ある時間区間Ｎにおける入力信号のＡ／Ｄ変換されたディジタルデータの自乗和平均値を求める。
【０００５】
対数変換部７０４ｂは、自乗和平均算出部７０４ａで算出された自乗和平均値を対数変換する。増幅制御部７０５ａは、対数変換部７０４ｂの出力に基づいて、検波部７０２とＡ／Ｄ変換部７０３に適切な大きさの信号が入力されるように増幅部７０１の増幅値の制御を行う。また、増幅制御部７０５ａは、増幅部７０１に与える増幅制御値を示す増幅値情報を増幅値補正部７０５ｂに与える。増幅値補正部７０５ｂは、増幅部７０１で増幅された値だけ対数変換部７０４ｂの出力に補正を行って、受信された信号のレベルを得る。この場合、増幅部７０１で増幅された値は、増幅制御部７０５ａからの増幅値情報に基づくものである。
【０００６】
なお、増幅部７０１、増幅制御部７０５ａ、増幅値補正部７０５ｂはＡＧＣ（Ａｕｔｏ  Ｇａｉｎ  Ｃｏｎｔｒｏｌ）として動作する。また、一般的に、自乗和平均算出部７０４ａと対数変換部７０４ｂでは演算量が多くなることから演算速度の速いディジタル信号処理プロセッサ７０４で構成され、増幅制御部７０５ａと増幅値補正部７０５ｂでは演算量が比較的少ないことから早い演算速度が要求されない制御プロセッサ７０５で構成される。
【０００７】
このような構成において、ディジタル信号処理プロセッサ７０４と制御プロセッサ７０５との間で受け渡されるデータが対数値であるので、少ないビット数で広いダイナミックレンジが実現可能である。また、時間区間Ｎにおける自乗和平均値を対数変換した値が増幅制御部７０５ａにも入力される。一般的に、増幅部７０１に対する制御は対数の単位で行うので、ＡＧＣの制御を行うための増幅制御部７０５ａも対数値で扱う方が容易である。
【０００８】
ところで、移動体通信では、移動機が基地局に報告する受信レベルの測定において、時間区間Ｎよりもさらに長い区間Ｍでの平均受信レベル測定を報告する必要がある。例えば時間間隔Ｎは１つのバースト区間に相当し、時間間隔Ｍは複数のバースト区間が集まった報告区間に相当する。
【０００９】
時間区間Ｎでよりもさらに長い区間Ｍでの平均受信レベル測定を行う一般的な構成として、図８に示すように平均値算出部８０５ｃを追加する構成が考えられる。この場合、平均値算出部８０５ｃは、算術的な制限から増幅値補正部８０５ｂの後で且つ対数変換部８０５ｄの前に配置する必要がある。その理由は、対数変換部８０５ｄの前に配置しないと、対数値の単純平均では正しい平均値を算術的に示さないからである。また、増幅値補正部８０５ｂの後に配置するのは、増幅部７０１では時間間隔Ｎの時間単位で増幅値を変更するため、平均値算出は増幅値補正の後に行う必要があるからである。
【００１０】
図８に示す受信レベル測定装置２では、Ａ／Ｄ変換部７０３でディジタル化された信号が自乗和平均算出部８０４ａによって時間間隔Ｎにおける自乗和平均値が算出された後、制御プロセッサ８０５に入力される。制御プロセッサ８０５の増幅値補正部８０５ｂは、増幅制御部８０５ａから通知される増幅値情報（補正量）を元に自乗和平均算出部８０４ａからの自乗和平均値を入力信号レベル（受信信号レベル）値に変換する。平均値算出部８０５ｃは、受信信号レベルの値で時間間隔Ｍの平均値を求める。
【００１１】
対数変換部８０５ｄは、平均値算出部８０５ｃで求められた受信信号レベル値の平均値を対数変換し、受信レベル報告値を得る。対数変換部８０５ｅは、自乗和平均算出部８０４ａの演算結果を対数変換し、その値を増幅制御部８０５ａに入力する。増幅制御部８０５ａは、対数変換部８０５ｅからの対数変換値を元に増幅制御値を求め、増幅部７０１に与える。ここで、対数変換部８０５ｄが最後段に設けてあるのは、平均値算出を行うには真数で演算する必要があるからである。
【００１２】
【特許文献１】
特開平０７−３５７８９号公報（第５頁〜第７頁、第１図）
【００１３】
【発明が解決しようとする課題】
しかしながら、上述した、時間間隔Ｎの平均電力を求めた後に、その平均電力をさらに時間間隔Ｍ（＞Ｎ）で平均する構成の受信レベル測定装置においては、増幅値補正部８０５ｂから平均値算出部８０５ｃまでを真数で演算することから、増幅値補正のための乗算と対数変換処理が必要となり演算量が増加し、演算能力の低い制御プロセッサでは処理に時間がかかるという問題がある。
【００１４】
本発明はかかる点に鑑みてなされたものであり、時間間隔Ｎ毎に受信信号の平均電力を求めた後に、それらの平均電力をさらに時間間隔Ｍ（＞Ｎ）で平均する構成の受信レベル測定装置において、少ない演算量で受信レベルを測定できるとともに回路規模の増大を最小限に抑えることができる受信レベル測定装置及び受信レベル測定方法を提供することを目的とする。
【００１５】
【課題を解決するための手段】
請求項１に係る発明の受信レベル測定装置は、時間間隔Ｎ毎の受信信号の平均電力を求め、さらに時間間隔Ｍ（Ｍ＞Ｎ）にて平均して受信レベルを求める受信レベル測定装置であって、増幅量制御値に応じて受信信号を増幅する増幅手段と、前記増幅手段で増幅された受信信号を検波する検波手段と、前記検波手段の検波出力をディジタルデータに変換するアナログ／ディジタル変換手段と、前記アナログ／ディジタル変換手段の出力から前記時間区間Ｎにおける自乗和平均値を算出する自乗和平均算出手段と、前記自乗和平均算出手段で算出された時間区間Ｎにおける自乗和平均値を対数値に変換する対数変換手段と、前記増幅手段で増幅された値だけ前記対数変換手段にて対数変換された自乗和平均値を補正する増幅値補正手段と、前記時間間隔Ｍ内で対数変換された複数の前記自乗和平均値に対して対数のままで平均値を算出する平均値算出手段と、前記平均値算出手段が対数で平均演算を行った際に生ずる誤差の補正値を算出する補正値算出手段と、前記補正値算出手段にて算出された補正値分だけ前記平均値算出手段の平均値算出結果を補正する補正手段と、を具備する構成を採る。
【００１６】
この構成によれば、増幅値補正手段、平均値算出手段、補正値算出手段及び補正手段における演算形式がすべて対数となるので、これらの手段を実現するプロセッサ（実施の形態の制御プロセッサに対応する）における演算量を軽減でき、演算速度の遅いプロセッサでも使用することができる。これにより、少ない演算量で受信レベルを測定できるとともに回路規模の増大を最小限に抑えることができる受信レベル測定装置を提供できる。
【００１７】
請求項２に係る発明の受信レベル測定装置は、請求項１に係る発明の受信レベル測定装置において、前記補正値算出手段は、時間間隔Ｎにおける平均受信レベルの複数サンプル内の分散情報から補正値を求める構成を採る。
【００１８】
この構成によれば、対数で平均演算を行った際に生ずる誤差を効果的に補正することができる。
【００１９】
請求項３に係る発明の受信レベル測定装置は、請求項１に係る発明の受信レベル測定装置において、前記補正値算出手段は、時間間隔Ｎにおける平均受信レベルの複数サンプル内の最大値と最小値の差から補正値を求める構成を採る。
【００２０】
この構成によれば、対数で平均演算を行った際に生ずる誤差を効果的に補正することができる。
【００２１】
請求項４に係る発明の移動機は、請求項１から請求項３のいずれかに係る発明の受信レベル測定装置を具備する構成を採る。
【００２２】
この構成によれば、少ない演算量で受信レベルを測定できるとともに回路規模の増大を最小限に抑えることができる受信レベル測定装置を具備するので、小型化が図れるとともにコストの低減が図れる移動機を提供できる。
【００２３】
請求項５に係る発明の受信レベル測定方法は、時間間隔Ｎ毎の受信信号の平均電力を求め、さらに時間間隔Ｍ（Ｍ＞Ｎ）にて平均して受信レベルを求める受信レベル測定方法であって、対数で表現された時間間隔Ｎにおける平均受信レベルを対数のまま時間間隔Ｍにおいて複数サンプル分平均を行い、対数で平均演算を行った際に生ずる誤差の補正値を求め、求めた補正値分だけ平均値算出結果を補正する。
【００２４】
この方法によれば、対数で平均演算を行った際に生ずる誤差を補正することで、対数で表現された時間間隔Ｎにおける平均受信レベルを対数のまま時間間隔Ｍにおいて複数サンプル分平均を行うプロセッサの演算形式がすべて対数となるので、演算量を軽減でき、演算速度の遅いプロセッサでも使用することができる。これにより、少ない演算量で受信レベルを測定できるとともに回路規模の増大を最小限に抑えることができる受信レベル測定装置を実現できる。
【００２５】
請求項６に係る発明の受信レベル測定プログラムは、時間間隔Ｎ毎の受信信号の平均電力を求め、さらに時間間隔Ｍ（Ｍ＞Ｎ）にて平均して受信レベルを求める受信レベル測定プログラムであって、前記時間区間Ｎにおける受信信号のサンプリングデータの自乗和平均値を算出する自乗和平均算出手順と、前記時間区間Ｎにおける自乗和平均値を対数値に変換する対数変換手順と、前記受信信号を増幅した値だけ対数変換後の自乗和平均値を補正する増幅値補正手順と、前記時間間隔Ｍ内で対数変換した複数の前記自乗和平均値に対して対数のままで平均値を算出する平均値算出手順と、対数で平均演算を行った際に生ずる誤差の補正値を算出する補正値算出手順と、算出した補正値分だけ平均値算出結果を補正する補正手順と、を具備する。
【００２６】
このプログラムによれば、対数で平均演算を行った際に生ずる誤差を補正することで、対数で表現された時間間隔Ｎにおける平均受信レベルを対数のまま時間間隔Ｍにおいて複数サンプル分平均を行うプロセッサの演算形式がすべて対数となるので、演算量を軽減でき、演算速度の遅いプロセッサでも使用することができる。これにより、少ない演算量で受信レベルを測定できるとともに回路規模の増大を最小限に抑えることができる受信レベル測定装置を実現できる。
【００２７】
請求項７に係る発明の移動機は、記録媒体に記録されたプログラムに従って装置各部を制御するコンピュータと、請求項６に係る発明の受信レベル測定プログラムが記録された記録媒体と、を具備する構成を採る。
【００２８】
この構成によれば、少ない演算量で受信レベルを測定できるとともに回路規模の増大を最小限に抑えることができる受信レベル測定装置を備えることができるので、小型化が図れるとともにコストの低減が図れる移動機を実現できる。
【００２９】
【発明の実施の形態】
本発明の骨子は、時間間隔Ｎ毎の受信信号の平均電力を求め、さらに時間間隔Ｍ（Ｍ＞Ｎ）にて平均して受信レベルを求める受信レベル測定において、対数で表現された時間間隔Ｎにおける平均受信レベルを対数のまま時間間隔Ｍにおいて複数サンプル分平均を行い、対数で平均演算を行った際に生ずる誤差の補正値を求め、求めた補正値分だけ平均値算出結果を補正することである。
【００３０】
以下、本発明の実施の形態について、図面を参照して詳細に説明する。
【００３１】
図１は、本発明の一実施の形態に係る受信レベル測定装置の構成を示すブロック図である。なお、この図において、増幅部からＡ／Ｄ変換部までの各部は図８と共通するので同じ符号を付けている。
【００３２】
図１において、本実施の形態の受信レベル測定装置１００は、図８に示す従来の受信レベル測定装置２と同様に、時間間隔Ｎ毎の受信信号の平均電力を求め、さらにそれらの平均電力を時間間隔Ｍ（Ｍ＞Ｎ）で平均して受信レベルを求めるものである。ディジタル信号処理プロセッサ１０４は、自乗和平均算出部１０４ａと対数変換部１０４ｂを備えており、制御プロセッサ１０５は、増幅制御部１０５ａと、増幅値補正部１０５ｂと、平均値算出部１０５ｃと、補正値算出部１０５ｆと、補正部１０５ｇとを備えている。
【００３３】
自乗和平均算出部１０４ａは、時間間隔Ｎにおける自乗和平均値を算出する。対数変換部１０４ｂは、自乗和平均算出部１０４ａで算出された平均値を対数に変換する。増幅制御部１０５ａは、増幅部１０１で増幅する増幅制御値を制御する。増幅値補正部１０５ｂは、対数で表現された自乗和平均値に対して増幅部７０１で増幅された増幅値を補正する。平均値算出部１０５ｃは、対数の自乗和平均値に対して時間間隔Ｍにおいて対数のまま平均値を算出する。補正値算出部１０５ｆは、対数で平均した値と真値で平均した値の差分を補正値として推定する。補正部１０５ｇは、補正値算出部１０５ｆで推定された補正値分だけ平均値算出結果を補正する。
【００３４】
次に、図２から図６を参照しながら本実施の形態の受信レベル測定装置の動作を説明する。
まず、図２に示すように、受信信号が時間間隔Ｎのバースト長で入力される。例えばＴＤＭＡ（Ｔｉｍｅ  Ｄｉｖｉｓｉｏｎ  Ｍｕｌｔｉｐｌｅ  Ａｃｃｅｓｓ）方式の通信システムでは、上り信号と下り信号またはユーザーに対して時分割で割り当てているため、この図に示すような入力タイミングで信号が取り込まれる。取り込まれた受信信号は増幅部７０１からＡ／Ｄ変換部７０３までの処理が行われる。
【００３５】
次に、ディジタル信号処理プロセッサ１０４において、区間Ｎのサンプルデータにおいて対数で示した自乗和平均値が図３のフローチャートで示すような手順で算出される。
まず、変数ａを「１」に初期化し、変数ｂを「０」に初期化する（ステップ３０１）。次いで、区間Ｎのａ番目のサンプルデータを変数ｘに代入する（ステップ３０２）。変数ｘに区間Ｎのａ番目のサンプルデータを代入した後、変数ｘを自乗して変数ｘ’に代入する（ステップ３０３）。そして、自乗した変数ｘを変数ｂに加算する（ステップ３０４）。次に、ａ＋１番目のサンプルデータの取り込みを行うために、変数ａに「１」を加算する（ステップ３０５）。
【００３６】
そして、変数ａがサンプル数ｎ（区間Ｎ内のサンプルデータの数）より大きいかどうかを判定する（ステップ３０６）。この判定において、変数ａがサンプル数ｎ以下の場合（Ｎｏの場合）はステップ３０２に戻り、ステップ３０２から３０５の処理を繰り返す。これに対して、変数ａがサンプル数ｎより大きい場合（Ｙｅｓの場合）は変数ｂをサンプル数ｎで除算し、真数の区間Ｎの自乗和平均値ｂを算出する（ステップ３０７）。次いで、ｂを対数に変換し（ステップ３０８）、さらに対数の区間Ｎの自乗和平均値ｂ［ｄＢ］を出力する（ステップ３０９）。
【００３７】
次に、制御プロセッサ１０５において、図２に示す区間Ｍの受信レベル測定結果が図４のフローチャートで示すような手順で算出される。
まず、変数ａを「１」に初期化し、変数ｃを「０」に初期化する（ステップ４０１）。次いで、ａ番目のバーストデータ（ディジタル信号処理プロセッサ１０４で演算した区間Ｎの自乗和平均値ｂ）を変数ｘに代入する（ステップ４０２）。次いで、ａ番目のバーストにおける増幅制御値［ｄＢ］をｘから減算し、区間Ｎにおける受信レベルｘ’［ｄＢｍ］を得る（ステップ４０３）。
【００３８】
そして、ｘ’を変数ｃに加算する（ステップ４０４）。次に変数ａに「１」を加算し（ステップ４０５）、その後、変数ａが区間Ｍのサンプル数ｍより大きいかどうかを判定する（ステップ４０６）。変数ａが区間Ｍのサンプル数ｍ以下である場合（Ｎｏの場合）はステップ４０２に戻り、ステップ４０２からステップ４０５の処理を繰り返す。これに対して、変数ａが区間Ｍのサンプル数ｍより大きい場合（Ｙｅｓの場合）は、変数ｃをｍで除算する（ステップ４０７）。次いで、変数ｃから補正値［ｄＢ］を減算し、区間Ｍの受信レベル測定値ｃ’［ｄＢｍ］を得る（ステップ４０８）。最後にｃ’［ｄＢｍ］を出力し（ステップ４０９）、処理を終了する。
【００３９】
補正値算出部１０５ｆにおける補正値算出は、例えば以下のようにして行う。（１）図５は、区間Ｍのバーストデータの分散値と、対数平均と真数平均の差を実測した例である。このグラフより区間Ｍの分散値と対数平均値と真数平均値の差には相関があることが分かる。したがって、区間Ｍの分散の算出結果から、対応する対数平均と真数平均の差を求め、補正値として用いることで対数で平均演算を行った誤差を補正することができる。補正値を求める方法としては、図５に点線で示したような近似式を使用する方法や適当な分解能でテーブル化し補正値を参照する等の方法が考えられる。
【００４０】
（２）また、別の補正値を求める方法として区間Ｍのバーストデータの最大値と最小値の差を用いることも可能である。
図６は、区間Ｍの最大値と最小値の差と対数平均と真数平均の差を実測した例であり図５と同様に相関があることが分かる。この区間Ｍのバーストデータの最大値と最小値の差を使用する方法は、図５に示した分散による方法よりも少ない演算量で実現が可能である。このように、補正値を求める方法は対数平均と真数平均の差に対して相関がある項目であればいずれも使用可能となる。
【００４１】
このように、本実施の形態の受信レベル測定装置によれば、対数で平均演算をした誤差を補正する補正値算出部１０５ｆ及び補正部１０５ｇを備えているので、制御プロセッサ１０５内の演算形式がすべて対数となるので、制御プロセッサ１０５における演算量を軽減でき、演算速度の遅い制御プロセッサでも使用することができる。また、ディジタル信号処理プロセッサ１０４から制御プロセッサ１０５に受け渡すデータ形式も対数となるので、少ないビット数で広いダイナミックレンジを得ることができる。
【００４２】
そして、携帯電話やＰＨＳ等の移動機に本実施の形態の受信レベル測定装置を用いることで、小型化が図れるとともにコストの低減が図れることは言うまでもない。
【００４３】
なお、本発明は、ＴＤＭＡ方式の通信システムに限定されるものではなく、ＣＤＭＡ（Ｃｏｄｅ  Ｄｉｖｉｓｉｏｎ  Ｍｕｌｔｉｐｌｅ  Ａｃｃｅｓｓ）方式の通信システムの場合でも、１単位の平均電力測定区間（例えばパイロットシンボル区間）を時間間隔Ｎとし、ＡＧＣの制御区間を時間間隔Ｍとすれば適用可能である。すなわち、時間間隔Ｎ毎の平均電力を求めた後、それらの平均電力をさらに時間間隔Ｍで平均する必要がある場合に適用することができる。
【００４４】
【発明の効果】
以上説明したように、本発明によれば、対数で平均演算をした誤差を補正することで制御プロセッサ内の演算形式をすべて対数処理できるので、演算量を軽減でき、少ない演算量で受信レベルを測定できるとともに、回路規模の増大を最小限に抑えることができる受信レベル測定装置を提供できる。
【図面の簡単な説明】
【図１】本発明の一実施の形態に係る受信レベル測定装置の構成を示すブロック図
【図２】本発明の一実施の形態に係る受信レベル測定装置への信号の入力タイミングを示す波形図
【図３】本発明の一実施の形態に係る受信レベル測定装置の動作を説明するためのフローチャート
【図４】本発明の一実施の形態に係る受信レベル測定装置の動作を説明するためのフローチャート
【図５】本発明の一実施の形態に係る受信レベル測定装置の補正値を求める第１の方法を説明するための図
【図６】本発明の一実施の形態に係る受信レベル測定装置の補正値を求める第２の方法を説明するための図
【図７】従来の受信レベル測定装置の構成を示すブロック図
【図８】従来の他の受信レベル測定装置の構成を示すブロック図
【符号の説明】
１００  受信レベル測定装置
１０４  ディジタル信号処理プロセッサ
１０４ａ  自乗和平均算出部
１０４ｂ  対数変換部
１０５  制御プロセッサ
１０５ａ  増幅制御部
１０５ｂ  増幅値補正部
１０５ｃ  平均値算出部
１０５ｆ  補正値算出部
１０５ｇ  補正部
７０１  増幅部
７０２  検波部
７０３  Ａ／Ｄ変換部
【図１】
2004364057.tif 000003
【図２】
2004364057.tif 000004
【図３】
2004364057.tif 000005
【図４】
2004364057.tif 000006
【図５】
2004364057.tif 000007
【図６】
2004364057.tif 000008
【図７】
2004364057.tif 000009
【図８】
2004364057.tif 000010